(57)【要約】【課題】  冷却能力を高めると共に、端子箱内のシール性も確保した空冷式電動機を提供する。【解決手段】  空冷式電動機において、端子箱１４の反負荷側ブラケット４との対向面側にパッキンＡ(１６)を嵌め込むための溝部を設けると共に、反負荷側ブラケット４と端子箱１４の間を接触させている。また、端子箱１４の端子箱カバー１５との対向面側にパッキンＢ（１７）を嵌め込むための溝部１４ａを設けると共に、端子箱１４および端子箱カバー１５の間を接触させるように構成してある。さらに、端子箱１４、端箱カバー１５にそれぞれ放熱用のフィンＡ（１８）、フィンＢ（１９）を設けたものとなっている。これにより、電動機のパッキン１６（ａ）、１７（ｂ）はそれぞれの接触面に設けた溝部１４ａ、１４ｂに嵌め込むことでシール性を確保できる。【選択図】    図１
2008079400.tif 000002
【特許請求の範囲】
【請求項１】
積層鉄心からなるコアに電機子巻線を巻装してなる固定子と、
前記固定子の負荷側および反負荷側の軸方向の開口部に取付けられたブラケットと、
前記ブラケットに軸受を介して回転自在に支承された回転子と、
前記反負荷側ブラケットの外周部に設けられると共に、前記電機子巻線に電力を供給するためのリードを外部電源に接続する端子箱と、
を備えた空冷式電動機において、
前記反負荷側ブラケットと前記端子箱の間は、熱絶縁材を介さずに接触させる構成にしてあり、
前記端子箱は、該電動機の本体より発生する熱を該端子箱に伝えることができるように、該電動機の冷却部材として兼用するものであることを特徴とする空冷式電動機。
【請求項２】
前記端子箱と前記端子箱を覆うための端子箱カバーの間に、熱絶縁材を介さずに接触させると共に、該端子箱カバーを該電動機の冷却部材として兼用することを特徴とする請求項１記載の空冷式電動機。
【請求項３】
前記端子箱の前記反負荷側ブラケットとの対向面側にパッキンを嵌め込むための溝部を設けると共に、前記反負荷側ブラケットと前記端子箱の間を接触させたことを特徴とする請求項１記載の空冷式電動機。
【請求項４】
前記端子箱の前記端子箱カバーとの対向面側にパッキンを嵌め込むための溝部を設けると共に、前記端子箱および前記端子箱カバーの間をそれぞれ接触させたことを特徴とする請求項２記載の空冷式電動機。
【請求項５】
前記端子箱の表面または前記端子箱カバーの表面に放熱用のフィンを設けたことを特徴とする請求項２に記載の空冷式電動機。
【発明の詳細な説明】
【技術分野】
【０００１】
本発明は、例えば、工作機械用主軸の駆動用などに用いられる空冷式電動機の冷却能力改善に関する。
【背景技術】
【０００２】
従来から、電動機制御用基板等の電子部品が、省スペース化や配線工数の低減化および高機能化のため電動機の端子箱に搭載されるようになってきており、このような端子箱は、例えば、工作機械用主軸の駆動用などに用いられる空冷式電動機に適用されている（例えば、特許文献１参照）。
図２は従来の空冷式電動機の側断面図である。
図２において、１は回転子、２は固定子、３は固定子２の負荷側の軸方向開口部に固定された負荷側ブラケット、４は固定子２の反負荷側の軸方向開口部に固定された反負荷側ブラケット、５は固定子２に対し負荷側ブラケット３を介して回転子１を軸方向に対し回転可能に支承する負荷側軸受、６は固定子２に対し反負荷側ブラケット４を介して回転子１を軸方向に対し回転可能に支承する反負荷側軸受、７は回転子１の回転を検出する検出器、８は検出器を覆う検出器カバー、９は前記１〜９の構成部品からなる電動機本体、１０は電動機本体の反負荷側に固定されたファンケーシング、１１はファンケーシング１０に固定された冷却ファン、１２は冷却ファン１１を覆いファンケーシング１０に固定されたフィンガーガード、１３は前記１０〜１２の構成部品からなるファンユニット、１４は電動機本体９に固定された端子箱、１５は端子箱１４に固定された端子箱カバー、２０は電動機本体９と端子箱１４の間に挟まれたパッキンＣ、２１は端子箱１４と端子箱カバー１５の間に挟まれたパッキンＤを表している。
このように、従来の空冷式電動機は本体の反負荷側ブラケット４と端子箱１４の間、及び端子箱１４と端子箱カバー１５の間にパッキンを挟んでシール性を確保している。
【特許文献１】特開平７−２４５９１３号公報
【発明の開示】
【発明が解決しようとする課題】
【０００３】
従来の空冷式電動機は電動機本体の反負荷側ブラケットと端子箱の間、及び端子箱と端子箱カバーの間にパッキンを挟んでおり、これらパッキンが電動機本体から発生する熱を遮断する熱絶縁材として作用するため、このような構造は空冷式電動機の冷却能力を向上させる上で阻害要因の一つとなっていた。
本発明はこのような問題点に鑑みてなされたものであり、シール性を確保すると共に冷却能力を高めた空冷式電動機を提供することを目的とする。
【課題を解決するための手段】
【０００４】
上記問題を解決するため、本発明は、次のように構成したものである。
請求項１に記載の発明は、積層鉄心からなるコアに電機子巻線を巻装してなる固定子と、前記固定子の負荷側および反負荷側の軸方向の開口部に取付けられたブラケットと、前記ブラケットに軸受を介して回転自在に支承された回転子と、前記反負荷側ブラケットの外周部に設けられると共に、前記電機子巻線に電力を供給するためのリードを外部電源に接続する端子箱と、を備えた空冷式電動機において、前記反負荷側ブラケットと前記端子箱の間は、熱絶縁材を介さずに接触させる構成にしてあり、前記端子箱は、該電動機の本体より発生する熱を該端子箱に伝えることができるように、該電動機の冷却部材として兼用するものであることを特徴としている。
また、請求項２に記載の発明は、請求項１記載の空冷式電動機において、前記端子箱と前記端子箱を覆うための端子箱カバーの間に、熱絶縁材を介さずに接触させると共に、該端子箱カバーを該電動機の冷却部材として兼用することを特徴としている。
また、請求項３に記載の発明は、請求項１記載の空冷式電動機において、前記端子箱の前記反負荷側ブラケットとの対向面側にパッキンを嵌め込むための溝部を設けると共に、前記反負荷側ブラケットと前記端子箱の間を接触させたことを特徴としている。
また、請求項４に記載の発明は、請求項２記載の空冷式電動機において、前記端子箱の前記端子箱カバーとの対向面側にパッキンを嵌め込むための溝部を設けると共に、前記端子箱および前記端子箱カバーの間をそれぞれ接触させたことを特徴としている。
また、請求項５に記載の発明は、請求項２に記載の空冷式電動機において、前記端子箱の表面または前記端子箱カバーの表面に放熱用のフィンを設けたことを特徴としている。
【発明の効果】
【０００５】
請求項１に記載の発明によると、電動機本体より発生する熱を、熱絶縁材を介せずに端子箱に伝達することができ、電動機本体の熱を端子箱表面から大気中に放熱して冷却することができる。
また、請求項２に記載の発明によると、電動機本体より端子箱に伝達された熱を端子箱カバーまで伝達することができ、電動機本体の熱を端子箱カバー表面から大気中に放熱して冷却することができる。
また、請求項３に記載の発明によると、電動機本体より発生する熱を端子箱に効率よく伝達すると共に、端子箱内部のシール性も確保することができる。
また、請求項４に記載の発明によると、電動機本体から端子箱に伝わった熱を端子箱カバーに効率よく伝達すると共に、端子箱内部のシール性も確保することができる。
また、請求項５に記載の発明によると、端子箱または端箱カバーに放熱フィンを設けることで、電動機本体から端子箱あるいは端子箱カバーに伝わった熱を外気に効率よく放熱させることができる。
【発明を実施するための最良の形態】
【０００６】
以下、本発明の実施の形態について図を参照して説明する。
【実施例１】
【０００７】
図１は、本発明の第１実施例を示す空冷式電動機の側断面図であり、図中のＡ部はパッキンＡを嵌合した溝部、Ｂ部はパッキンＢを嵌合した溝部を拡大した図を示している。なお、本発明の構成要素が従来技術と同じものについてはその説明を省略し、異なる点について説明する。
図１において、１４ａは溝部、１４ｂは溝部、１６はパッキンＡ、１７はパッキンＢ、１８はフィンＡ、１９はフィンＢを表している。
である。
本発明の特徴は以下のとおりである。
すなわち、反負荷側ブラケット4と端子箱１４の間は、熱絶縁材を介さずに接触させる構成にしてあり、端子箱１４は、該電動機の本体９より発生する熱を該端子箱１４に伝えることができるように、該電動機の冷却部材として兼用した点、また、端子箱１４と該端子箱１４を覆うための端子箱カバー１５の間に、熱絶縁材を介さずに接触させると共に、該端子箱カバー１５を該電動機の冷却部材として兼用した点である。
具体的には、端子箱１４の反負荷側ブラケット４との対向面側にパッキンＡ(１６)を嵌め込むための溝部を設けると共に、反負荷側ブラケット４と端子箱１４の間を接触させており、また、端子箱１４の端子箱カバー１５との対向面側にパッキンＢ（１７）を嵌め込むための溝部を設けると共に、端子箱１４および端子箱カバー１５の間をそれぞれ接触させるように構成してある。
さらに、端子箱１４、端箱カバー１５にそれぞれ放熱用のフィンＡ（１８）、フィンＢ（１９）を設けたものとなっている。
【０００８】
次に動作を説明する。
上記構成のもとで、冷却ファン１１を回転させると、ファンケーシング１０内に吸入された冷却風は反負荷側ブラケット側に送られ、反負荷側ブラケットに設けられた回転子の回転検出器などを冷却する。一方で、電動機本体９の固定子２を構成するコア、電機子巻線で発生した熱は、電動機本体９の反負荷側ブラケット４と端子箱１４が直接接触しているために端子箱１４に効率よく伝達される。この端子箱１４に伝達された熱は、端子箱１４と端子箱カバー１５が直接接触しているために端子箱カバー１５に効率よく伝達される。端子箱１４に伝達された熱は端子箱１４表面、及びフィンＡ（１８）より大気中に放熱される。端子箱カバー１５に伝達された熱は端子箱カバー１５表面、及びフィンＢ（１９）より大気中に放熱される。なお、端子箱１４内部のシール性はパッキンＡ１６、パッキンＢ１７により確保される。
【０００９】
このように、本発明による空冷式電動機はモータ本体より発生する熱の放熱に積極的に端子箱、及び端子箱カバーを利用することができ、従来技術より空冷式電動機の放熱効率を高めることができる。
【図面の簡単な説明】
【００１０】
【図１】本発明の第１実施例を示す空冷式電動機の側断面図であり、図中のＡ部はパッキンＡを嵌合した溝部、Ｂ部はパッキンＢを嵌合した溝部を拡大した図。
【図２】従来の空冷式電動機の側断面図
【符号の説明】
【００１１】
１  回転子
２  固定子
３  負荷側ブラケット
４  反負荷側ブラケット
５  負荷側軸受
６  反負荷側軸受
７  検出器
８  検出器カバー
９  電動機本体
１０  ファンケーシング
１１  冷却ファン
１２  フィンガーガード
１３  ファンユニット
１４  端子箱
１４ａ  溝部
１４ｂ  溝部
１５  端子箱カバー
１６  パッキンＡ
１７  パッキンＢ
１８  フィンＡ
１９  フィンＢ
２０  パッキンＣ
２１  パッキンＤ
【図１】
2008079400.tif 000003
【図２】
2008079400.tif 000004